(57)【要約】【課題】付加情報の取得時間を短縮できる受信装置、画像表示装置、及び受信方法を提供する。【解決手段】ビデオ信号を受信する受信装置は、信号方式判別回路４１、アスペクト取得回路４２、信号方式確定回路６２、及びアスペクト確定回路６３を有している。信号方式判別回路４１は、ビデオ信号の方式を判別する。アスペクト取得回路４２は、信号方式判別回路４１でビデオ信号の方式が判別される毎に、その判別結果に基づいて当該ビデオ信号に付加されている付加情報を取得する。信号方式確定回路６２は、信号方式判別回路４１で判別されたビデオ信号の方式が第１の回数連続して同じである場合にビデオ信号の方式を確定する。アスペクト確定回路６３は、アスペクト取得回路４２で取得されたアスペクト情報に基づいてアスペクト情報を確定する。【選択図】図２
2012019377.tif 000002
【特許請求の範囲】
【請求項１】
ビデオ信号を受信する受信装置であって、
前記ビデオ信号の方式を判別する信号方式判別部と、
前記信号方式判別部で前記ビデオ信号の方式が判別される毎に、その判別結果に基づいて前記ビデオ信号に付加されている付加情報を取得する付加情報取得部と、
前記信号方式判別部で判別された前記ビデオ信号の方式が第１の回数連続して同じである場合に前記ビデオ信号の方式を確定する信号方式確定部と、
前記付加情報取得部で取得された前記付加情報に基づいて前記付加情報を確定する付加情報確定部と、を有する
ことを特徴とする受信装置。
【請求項２】
請求項１に記載の受信装置において、
前記付加情報確定部は、前記付加情報取得部で取得された付加情報が第２の回数連続して同じである場合に前記付加情報を確定することを特徴とする受信装置。
【請求項３】
請求項１または請求項２に記載の受信装置と、
前記受信装置で受信された前記ビデオ信号に応じた画像を確定された前記ビデオ信号の方式及び前記付加情報に基づいて表示する表示装置とを有する
ことを特徴とする画像表示装置。
【請求項４】
ビデオ信号を受信する受信方法であって、
前記ビデオ信号の方式を判別する信号方式判別ステップと、
前記信号方式判別ステップで前記ビデオ信号の方式が判別される毎に、その判別結果に基づいて前記ビデオ信号に付加されている付加情報を取得する付加情報取得ステップと、
前記信号方式判別ステップで判別された前記ビデオ信号の方式が第１の回数連続して同じである場合に前記ビデオ信号の方式を確定する信号方式確定ステップと、
前記付加情報取得ステップで取得された前記付加情報に基づいて前記付加情報を確定する付加情報確定ステップと、を有する
ことを特徴とする受信方法。
【発明の詳細な説明】
【技術分野】
【０００１】
本発明は、受信装置、画像表示装置、及び受信方法に関する。
【背景技術】
【０００２】
従来、ＮＴＳＣ（National Television System Committee）、ＰＡＬ（Phase Alternating Line）等の信号方式のビデオ信号に応じた画像を表示する画像表示装置が知られている。このような画像表示装置では、ビデオ信号の方式を判別する必要があるが、信号が安定していないと、誤って判別してしまう可能性がある。そこで、時間をかけて安定した状態のビデオ信号を検出して当該ビデオ信号の方式を判別する映像信号処理装置が知られている（例えば、特許文献１参照）。
【０００３】
特許文献１に記載の映像信号処理装置では、同じ判別結果が所定回数連続して得られた場合に、その判別結果の信号方式を入力されたビデオ信号の方式として確定している。
一方、このようなビデオ信号の方式の規格とは別に、アスペクト情報等の付加情報に関する規格（例えば、ＷＳＳ（Wide Screen Signalling））が知られている。例えば、このような付加情報は、ＮＴＳＣ方式では、垂直帰線期間のライン２０とライン２８３とに重畳され、ＰＡＬ方式では、垂直帰線期間のライン２３に重畳される。
【先行技術文献】
【特許文献】
【０００４】
【特許文献１】特開平１０−７５４０５号公報
【発明の概要】
【発明が解決しようとする課題】
【０００５】
このようにビデオ信号の方式によって付加情報が重畳される位置が異なる場合でも適切に付加情報を取得できるように、従来の画像表示装置では、入力されたビデオ信号の方式を確定した後に、その確定したビデオ信号の方式に応じて付加情報を取得していた。
そのため、従来の画像表示装置では、ビデオ信号の方式を確定する時間と付加情報を取得する時間の積算時間が、ビデオ信号の入力から付加情報の取得までの時間となるため、付加情報を取得するまでの時間が長いという問題がある。そして、付加情報の取得後でないと、ビデオ信号に応じた画像を適切に表示できないため、当該画像が表示されるまでに長時間を要するという問題がある。
【０００６】
本発明の目的は、付加情報の取得時間を短縮できる受信装置、画像表示装置、及び受信方法を提供することにある。
【課題を解決するための手段】
【０００７】
本発明の受信装置は、ビデオ信号を受信する受信装置であって、前記ビデオ信号の方式を判別する信号方式判別部と、前記信号方式判別部で前記ビデオ信号の方式が判別される毎に、その判別結果に基づいて前記ビデオ信号に付加されている付加情報を取得する付加情報取得部と、前記信号方式判別部で判別された前記ビデオ信号の方式が第１の回数連続して同じである場合に前記ビデオ信号の方式を確定する信号方式確定部と、前記付加情報取得部で取得された前記付加情報に基づいて前記付加情報を確定する付加情報確定部と、を有することを特徴とする。
【０００８】
ここで、付加情報としては、例えば、アスペクトに関するアスペクト情報が挙げられる。
本発明によれば、付加情報取得部は、信号方式確定部によるビデオ信号の方式の確定前から付加情報を取得するため、ビデオ信号の方式の確定後から付加情報を取得する従来の構成よりも付加情報を取得する時間を短縮できる。つまり、ビデオ信号の方式の判別の確定と付加情報の確定とを並列的に行えるので、付加情報の確定時間を短縮できる。
また、判別されたビデオ信号の方式が第１の回数連続して同じである場合に、信号方式確定部がビデオ信号の方式を確定するため、入力されたビデオ信号の方式を適切に確定できる。
【０００９】
本発明では、前記付加情報確定部は、前記付加情報取得部で取得された付加情報が第２の回数連続して同じである場合に前記付加情報を確定することが好ましい。
本発明によれば、付加情報が第２の回数連続して同じである場合に付加情報を確定するため、付加情報を適切に確定できる。
【００１０】
本発明の画像表示装置は、上述した受信装置と、前記受信装置で受信された前記ビデオ信号に応じた画像を確定された前記ビデオ信号の方式及び前記付加情報に基づいて表示する表示装置とを有することを特徴とする。
本発明によれば、画像表示装置が上述した受信装置及び表示装置を有するため、上述した受信装置と同様の効果を奏することができ、入力されたビデオ信号に応じた画像を迅速かつ適切に表示装置により表示できる。
【００１１】
本発明の受信方法は、ビデオ信号を受信する受信方法であって、前記ビデオ信号の方式を判別する信号方式判別ステップと、前記信号方式判別ステップで前記ビデオ信号の方式が判別される毎に、その判別結果に基づいて前記ビデオ信号に付加されている付加情報を取得する付加情報取得ステップと、前記信号方式判別ステップで判別された前記ビデオ信号の方式が第１の回数連続して同じである場合に前記ビデオ信号の方式を確定する信号方式確定ステップと、前記付加情報取得ステップで取得された前記付加情報に基づいて前記付加情報を確定する付加情報確定ステップと、を有することを特徴とする。
本発明によれば、上述した受信装置と同様の効果を奏することができる。
【図面の簡単な説明】
【００１２】
【図１】本実施形態における画像表示装置の構成を示すブロック図。
【図２】本実施形態におけるフロントエンド部及び制御部の構成を示すブロック図。
【図３】本実施形態における信号方式の種別を示す図。
【図４】本実施形態におけるアスペクト情報の種別を示す図。
【図５】本実施形態における制御部による制御の流れを示すフローチャート。
【図６】本実施形態におけるアスペクト取得処理の流れを示すフローチャート。
【発明を実施するための形態】
【００１３】
以下、本発明の一実施形態について、図面を参照して説明する。
〔画像表示装置の構成〕
図１は、本実施形態における画像表示装置１の構成を示すブロック図である。
画像表示装置１は、ＮＴＳＣ方式及びＰＡＬ方式のビデオ信号を受信（入力）する受信装置２と、受信装置２が受信したビデオ信号に基づく画像を表示する表示装置３とを備えている。
このうち、表示装置３は、受信装置２から入力される画像信号としての駆動信号に応じた画像を表示するものである。この表示装置３として、例えば、光源と、当該光源から射出された光束を変調する光変調装置（液晶パネルやデジタルミラーを用いたデバイス等）との組み合わせを採用できるほか、プラズマ及び有機ＥＬ（Electro-Luminescence）等の自己発光素子により形成された表示パネルを採用することもできる。
【００１４】
〔受信装置の構成〕
受信装置２は、外部から入力されるビデオ信号を処理して、当該ビデオ信号に基づく駆動信号を表示装置３に出力する。この受信装置２は、図１に示すように、フロントエンド部４及び画像処理部５と、当該フロントエンド部４及び画像処理部５を含む画像表示装置１全体を制御する制御部６と、各種情報を記憶するＲＡＭ（Random Access Memory）等の記憶部７とを備えている。
このうち、画像処理部５は、フロントエンド部４を介して入力されたビデオ信号を表示装置３に適応する駆動信号に変換して、変換した駆動信号を表示装置３に出力する。具体的に、画像処理部５は、入力されたビデオ信号に対して画像サイズの調整や表示位置の調整等の画像処理を行う。これにより、表示装置３は、入力されたビデオ信号に応じた画像を表示する。
【００１５】
〔フロントエンド部の構成〕
図２は、フロントエンド部４及び制御部６の構成を示すブロック図である。
フロントエンド部４は、入力されたビデオ信号の方式を判別し、判別した方式に基づきビデオ信号から付加情報としてのアスペクト情報を取得する。このフロントエンド部４は、図２に示すように、信号方式判別部としての信号方式判別回路４１、付加情報取得部としてのアスペクト取得回路４２、信号方式用レジスタ４３、ＮＴＳＣ用レジスタ４４、及びＰＡＬ用レジスタ４５を有している。フロントエンド部４は、これら構成によって、入力されたビデオ信号を判定し、判定結果のステータスをレジスタ値として取得する。
【００１６】
信号方式判別回路４１は、画像表示装置１に入力されたビデオ信号の方式を判別する。
具体的に、信号方式判別回路４１は、入力されたビデオ信号の垂直同期周波数、水平走査線数、色副搬送波周波数等を判定し、これら判定結果に基づき、入力されたビデオ信号が、ＮＴＳＣ方式であるか、ＰＡＬ方式であるかを判別する。この判別結果は、信号方式用レジスタ４３に格納され、後述する制御部６により参照される。
【００１７】
アスペクト取得回路４２は、入力されたビデオ信号からアスペクト情報を取得する。詳述すると、アスペクト取得回路４２は、信号方式判別回路４１による判別結果に基づいて、入力されたビデオ信号に重畳されているアスペクト情報を読み取る。
ここで、ＮＴＳＣ方式のビデオ信号（ＮＴＳＣ、ＮＴＳＣ４．４３等を含む）では、一般的にアスペクト情報が垂直帰線期間のライン２０に重畳され、ＰＡＬ方式のビデオ信号（ＰＡＬ、ＳＥＣＡＭ等を含む）では、一般的にアスペクト情報が垂直帰線期間のライン２３に重畳される。このため、アスペクト取得回路４２は、信号方式判別回路４１により、ビデオ信号の方式がＮＴＳＣ方式であると判別された場合には、垂直帰線期間のライン２０に重畳されている情報を取得し、ＰＡＬ方式であると判別された場合には、垂直帰線期間のライン２３に重畳されている情報を取得することで、アスペクト情報を取得する。
【００１８】
図３は、信号方式用レジスタ４３に格納される信号方式の種別を示すレジスタ値を示す図である。
信号方式用レジスタ４３は、信号方式判別回路４１がビデオ信号の方式を判別した際に、その判別結果が格納されるレジスタである。
この信号方式用レジスタ４３には、図３に示すように、信号方式判別回路４１がビデオ信号の方式を判別する毎に、最新のステータスとして信号方式判別回路４１の判別結果に応じたレジスタ値〔０〜７〕が格納される。
例えば、信号方式判別回路４１が、入力されたビデオ信号の信号方式が「ＮＴＳＣ」であると判別した場合には、信号方式用レジスタ４３のレジスタ値に「０」が設定される。
【００１９】
なお、図３中、「ＮＴＳＣ」及び「ＮＴＳＣ４．４３」は、走査線数５２５本（有効走査線４８０本）、水平同期周波数１５．７３４ＫＨｚ、垂直同期周波数５９．９４０Ｈｚのビデオ信号である。「ＰＡＬ」及び「ＰＡＬ．Ｎ」は、走査線数６２５本（有効走査線５７６本）、水平同期周波数１５．６２５ＫＨｚ、垂直同期周波数５０．０００Ｈｚのビデオ信号である。「ＰＡＬ．Ｍ」及び「ＰＡＬ６０」は、走査線数５２５本（有効走査線４８０本）、水平同期周波数１５．７３４ＫＨｚ、垂直同期周波数５９．９４０Ｈｚのビデオ信号である。「ＳＥＣＡＭ」は、走査線数６２５本（有効走査線５７６本）、水平同期周波数１５．６２５ＫＨｚ、垂直同期周波数５０．０００Ｈｚのビデオ信号である。これらビデオ信号の方式に応じて、アスペクト取得回路４２がビデオ信号に重畳されているアスペクト情報を取得する。
【００２０】
図４は、ＮＴＳＣ用レジスタ４４及びＰＡＬ用レジスタ４５に格納されるアスペクト情報の種別を示すレジスタ値を示す図である。
ＮＴＳＣ用レジスタ４４は、アスペクト取得回路４２がＮＴＳＣ方式のビデオ信号のアスペクト情報を取得した際に、取得したアスペクト情報が格納されるレジスタである。
ＰＡＬ用レジスタ４５は、アスペクト取得回路４２がＰＡＬ方式のビデオ信号のアスペクト情報を取得した際に、取得したアスペクト情報が格納されるレジスタである。
【００２１】
これらＮＴＳＣ用レジスタ４４及びＰＡＬ用レジスタ４５には、図４に示すように、アスペクト取得回路４２がアスペクト情報を取得する毎に、最新のステータスとしてアスペクト取得回路４２の取得結果に応じたレジスタ値〔０〜２〕が格納される。
例えば、信号方式判別回路４１により、入力されるビデオ信号が「ＮＴＳＣ」であると判別され、アスペクト取得回路４２により、アスペクト情報として「レターボックス」が取得された場合には、ＮＴＳＣ用レジスタ４４のレジスタ値に「２」が格納される。
一方、信号方式判別回路４１により、入力されるビデオ信号が「ＰＡＬ」であると判別され、アスペクト取得回路４２により、アスペクト情報として「情報未設定」が取得された場合には、ＰＡＬ用レジスタ４５のレジスタ値に「０」が格納される。
【００２２】
〔制御部の構成〕
制御部６は、演算装置としてのＣＰＵ（Central Processing Unit）等により構成される。この制御部６は、図２に示すように、フロントエンド制御回路（以下、「ＦＥ制御回路」と略す場合がある）６１、信号方式確定部としての信号方式確定回路６２、付加情報確定部としてのアスペクト確定回路６３、及び画像処理制御回路６４を備えている。
【００２３】
ＦＥ制御回路６１は、フロントエンド部４を制御する。具体的に、ＦＥ制御回路６１は、信号方式用レジスタ４３のレジスタ値と、当該レジスタ値に応じたＮＴＳＣ用レジスタ４４及びＰＡＬ用レジスタ４５のいずれかのレジスタ値とを所定周期で読み取る。
また、ＦＥ制御回路６１は、信号方式判別回路４１の判別結果の履歴情報（信号方式判別ログ）、及びアスペクト取得回路４２の取得結果の履歴情報（アスペクト取得ログ）を、前述した記憶部７に一時的に記憶させる。具体的に、アスペクト取得ログは、ＮＴＳＣ方式の取得履歴か、ＰＡＬ方式の取得履歴かが判別可能に記録される。
例えば、これら履歴情報は、各レジスタ（上述した信号方式用レジスタ４３、ＮＴＳＣ用レジスタ４４及びＰＡＬ用レジスタ４５）のレジスタ値を蓄積することで作成される。
【００２４】
信号方式確定回路６２は、上述した記憶部７に記憶されている信号方式判別ログを読み取り、読み取った信号方式判別ログに基づきビデオ信号の方式を確定する。
また、アスペクト確定回路６３は、上述した記憶部７に記憶されているアスペクト取得ログを読み取り、読み取ったアスペクト取得ログに基づきビデオ信号のアスペクト情報を確定する。
【００２５】
具体的に、信号方式確定回路６２は、信号方式判別ログを読み取り、ビデオ信号の方式のステータスが連続して複数回同じであった場合に、ビデオ信号の方式が安定した情報であるとみなしてビデオ信号の方式をその連続して判別された方式に確定する。
アスペクト確定回路６３は、アスペクト取得ログを読み取り、アスペクト情報のステータスが連続して複数回同じであった場合に、アスペクト情報が安定した情報であるとみなしてアスペクト情報をその連続して取得したものに確定する。なお、アスペクト確定回路６３は、信号方式が変化した際には、アスペクト情報の確定を行わない。
これら各確定回路６２，６３による確定処理については、後に詳述する。
【００２６】
画像処理制御回路６４は、表示装置３により適切な画像表示がなされるように、信号方式確定回路６２で確定されたビデオ信号の方式、及びアスペクト確定回路６３で確定されたアスペクト情報に基づき画像処理部５を制御する。例えば、画像処理制御回路６４は、表示装置３の画面のアスペクト比が４：３であり、アスペクト確定回路６３で確定されたアスペクト情報が「アスペクト比１６：９画像のスクィーズ信号」である場合に、ビデオ信号を縦方向に圧縮して上下に黒帯が挿入されるように画像処理部５を制御する。
【００２７】
〔画像表示装置の動作〕
図５は、制御部６による表示前処理を示すフローチャートである。具体的に、図５は、入力ビデオ信号のアスペクト情報を確定するアスペクト確定処理の流れを示している。
画像表示装置１では、入力されたビデオ信号に応じた画像を表示装置３により表示する前に、受信装置２が、以下に示す表示前処理を行う。
この表示前処理では、図５に示すうように、まず、ＦＥ制御回路６１が、ビデオ信号の方式を取得する（ステップＳ１）。すなわち、ＦＥ制御回路６１は、信号方式判別回路４１を制御して、入力されたビデオ信号からビデオ信号の方式を判別する。上述したように、信号方式判別回路４１が判別したビデオ信号の方式は、信号方式用レジスタ４３に格納される。ＦＥ制御回路６１は、この信号方式用レジスタ４３のレジスタ値を参照することでビデオ信号の方式を取得する。例えば、信号方式用レジスタ４３のレジスタ値が「４」であれば、図３に示すように、ビデオ信号の方式の最新ステータスは、「PAL.M」となる。
このステップＳ１の後、ＦＥ制御回路６１は、上述した信号方式判別ログに、取得したログ（取得した最新のステータス）を追加する（ステップＳ２）。
【００２８】
次に、ＦＥ制御回路６１は、アスペクト情報の判別の要否を判定する（ステップＳ３）。例えば、ＦＥ制御回路６１は、信号方式用レジスタ４３のレジスタ値が「７」の場合（「信号なし」の場合）、アスペクト情報の取得及び判別は不要であると判定し、その他の場合に、アスペクト情報の判別が必要であると判定する。なお、使用者が予めアスペクト情報の判別の要否を設定しておき、それに従ってもよい。
このようなステップＳ３でアスペクト情報の判別が必要であると判定された場合には、ＦＥ制御回路６１は、アスペクト取得処理Ｓ４を実行する。
【００２９】
図６は、アスペクト取得処理Ｓ４を示すフローチャートである。
このアスペクト取得処理Ｓ４では、図６に示すように、まず、ＦＥ制御回路６１が、最新ステータスにおけるビデオ信号の方式がＮＴＳＣ方式であるか、ＰＡＬ方式（ＳＥＣＡＭ方式を含む）であるかを判定する（ステップＳ４１）。
【００３０】
ここで、ＮＴＳＣ方式であると判定した場合には、ＦＥ制御回路６１は、ＮＴＳＣ用レジスタ４４のレジスタ値を参照して、アスペクト情報の最新のステータスを取得する（ステップＳ４２）。
一方、ＰＡＬ方式であると判定した場合には、ＦＥ制御回路６１は、ＰＡＬ用レジスタ４５のレジスタ値を参照して、アスペクト情報の最新のステータスを取得する（ステップＳ４３）。
【００３１】
ステップＳ４２，Ｓ４３のいずれか一方の処理が終了した後、ＦＥ制御回路６１は、上述したアスペクト取得ログに、取得したログ（取得した最新のステータス）を追加して（ステップＳ４４）、アスペクト取得処理を終了する。
このように、ＦＥ制御回路６１は、信号方式判別回路４１でビデオ信号の方式が判別される毎に、その判別結果に基づいてビデオ信号に付加されているアスペクト情報を取得する。
【００３２】
図５に戻り、アスペクト取得処理Ｓ４が終了すると、信号方式確定回路６２が、入力されたビデオ信号の方式が安定しているか否かを判定する（ステップＳ５）。
具体的に、信号方式確定回路６２は、上述した信号方式判別ログを参照して同じ判別結果（レジスタ値）が連続する回数（第１連続回数）をカウントし、この第１連続回数が第１の回数である５未満である場合には、ビデオ信号の方式が安定していないものとみなし、５以上となった場合にビデオ信号の方式が安定したものとみなす。なお、判別結果が異なった場合には、当該第１連続回数がリセットされるとともに、後述する第２連続回数もリセットされる。
【００３３】
ここで、ステップＳ５で第１連続回数が第１の回数である５未満であると判定した場合（ビデオ信号の方式が安定していないと判定した場合）には、制御部６は、上述したステップＳ１〜Ｓ５の処理を繰り返す。なお、制御部６は、このビデオ信号の方式が安定する前における一連の繰り返し処理（ステップＳ１〜Ｓ５の処理）を一定周期で実行（例えば、５０ミリ秒毎に実行）する。
一方、ステップＳ５で第１連続回数が第１の回数である５以上になったと判定した場合（ビデオ信号の方式が安定し、同じ判別結果が得られたと判定した場合）には、信号方式確定回路６２は、最新ステータスの方式をビデオ信号の方式として確定する（ステップＳ６）。
次に、ＦＥ制御回路６１が、上述したステップＳ３と同様、アスペクト情報の取得の要否を判定する（ステップＳ７）。
【００３４】
ここで、ステップＳ７でアスペクト情報の取得が必要であると判定された場合には、ＦＥ制御回路６１は、アスペクト情報が安定しているか否かを判定する（ステップＳ８）。上述したように、この判定処理では、信号方式確定回路６２は、上述したアスペクト取得ログを参照して同じ取得結果（レジスタ値）が連続する回数（第２連続回数）をカウントし、当該第２連続回数が第２の回数である３未満である場合には、アスペクト情報が安定していないものとみなし、３以上となった場合にアスペクト情報が安定したものとみなす。なお、取得結果が異なった場合には、第２連続回数がリセットされる。
【００３５】
このステップＳ８で第２連続回数が第２の回数である３以上であると判定した場合（アスペクト情報が安定し、同じ結果が得られたと判定した場合）、もしくは、上述したステップＳ７でアスペクト情報の取得が不要であると判定されていた場合には、アスペクト確定回路６３は、アスペクト情報の判別を確定し（ステップＳ９）、制御部６は、アスペクト確定処理を終了する。例えば、アスペクト情報の取得が不要であると判定されている場合には、アスペクト情報は前述のレジスタ値「０」に対応する「アスペクト比４：３画像の信号、またはアスペクト情報なし」に設定される。
【００３６】
一方、ステップＳ８で第２連続回数が第２の回数である３未満であると判定された場合（アスペクト情報が安定していないと判定された場合）には、ＦＥ制御回路６１が、上述したアスペクト取得処理Ｓ４を行い、制御部６は、上述したステップＳ８の処理を繰り返す。この場合には、信号方式の確定後に、更にアスペクト取得処理Ｓ４が行われることとなる。
なお、制御部６は、このビデオ信号の方式が安定した後における一連の繰り返し処理を一定周期で実行（例えば、５０ミリ秒毎に実行）する。
【００３７】
以上説明した本実施形態の画像表示装置１によれば、以下の効果を奏することができる。
アスペクト取得回路４２は、信号方式確定回路６２によるビデオ信号の方式の確定前からアスペクト情報を取得するため、ビデオ信号の方式の確定後からアスペクト情報を取得する従来の構成よりもアスペクト情報を取得する時間を短縮できる。つまり、ビデオ信号の方式の判別を確定する処理とアスペクト情報を確定する処理とを並列的に行えるので、アスペクト情報の確定時間を短縮（具体的には、０．５秒程度短縮）できる。例えば、画像表示装置１がビデオ入力への切り替え機能を有する場合には、ビデオ入力への入力信号のソース切り替え時間を短縮できる。
【００３８】
また、ビデオ信号の方式が５回連続して同じである場合にビデオ信号の方式を確定するため、入力されたビデオ信号の方式を適切に確定できる。
さらに、アスペクト情報が３回連続して同じである場合にアスペクト情報を確定するため、アスペクト情報を適切に確定できる。
また、画像表示装置１は、受信装置２及び表示装置３を有するため、入力されたビデオ信号に応じた画像を迅速かつ適切に表示装置３により表示できる。
【００３９】
〔実施形態の変形〕
本発明は前述の実施形態に限定されるものではなく、本発明の目的を達成できる範囲での変形、改良等は本発明に含まれるものである。
前記実施形態では、ビデオ信号の方式として、ＮＴＳＣ方式及びＰＡＬ方式（ＳＥＣＡＭ方式も含む）を例示したが、ビデオ信号の方式は、これに限定されるものではない。例えば、ＡＴＳＣ（Advanced Television Systems Committee）、ＤＭＢ（Digital Multimedia Broadcasting）等の方式であってもよい。
前記実施形態では、アスペクト情報を付加情報とし、ビデオ信号の垂直帰線期間に重畳されているアスペクト情報を取得することで、アスペクト情報を取得したが、付加情報の取得はこれに限らない。付加情報は、上述したアスペクト情報と同様にビデオ信号の方式が分からないと判別できない情報であればよく、例えば、ＨＤＭＩ（High Definition Multimedia Interface）信号に含まれる各種情報等であってもよい。
前記実施形態では、第１の回数を「５」とし、第２の回数を「３」としたが、これら回数は、これに限らず、適宜設定が可能である。
前記実施形態では、上述した表示前処理における各繰り返し処理の周期を５０ミリ秒毎としたが、例えば、ＮＴＳＣ方式、ＰＡＬ方式等のビデオ信号のフレーム周期としてもよく、適宜設定可能である。
【産業上の利用可能性】
【００４０】
本発明は、受信装置、画像表示装置、及び受信方法に利用でき、例えば、ＮＴＳＣ方式、ＰＡＬ方式等の複数のビデオ信号の方式に対応したプロジェクターに利用できる。
【符号の説明】
【００４１】
１…画像表示装置、２…受信装置、３…表示装置、４１…信号方式判別回路（信号方式判別部）、４２…アスペクト取得回路（付加情報取得部）、６２…信号方式確定回路（信号方式確定部）、６３…アスペクト確定回路（付加情報確定部）、Ｓ１…ステップ（信号方式判別ステップ）、Ｓ４…ステップ（付加情報取得ステップ）、Ｓ５，Ｓ６…ステップ（信号方式確定ステップ）、Ｓ８，Ｓ９…ステップ（付加情報確定ステップ）。
【図１】
2012019377.tif 000003
【図２】
2012019377.tif 000004
【図３】
2012019377.tif 000005
【図４】
2012019377.tif 000006
【図５】
2012019377.tif 000007
【図６】
2012019377.tif 000008